(57)【要約】【課題】ＦＲＰ製カウンターの短辺側の木口処理を良好に行うとともに、コーナー部へのクラック発生をなくすことである。【解決手段】平面部５とバックガード部７とが交わるコーナー部１１裏側にカウンター長手方向に延びる凸状湾曲面部１１ａを形成する。切断予定部に対応するコーナー部１１裏側に、平面部５裏面の延長線Ｌ１、バックガード部７裏面の延長線Ｌ２及び凸状湾曲面部１１ａの三者で囲まれる領域を埋めるように隆起部１５を一体に突設する。【選択図】図３
2010220671.tif 000002
【特許請求の範囲】
【請求項１】
矩形状の平面部と、該平面部の後方長辺側の端縁から立ち上がるバックガード部とを一体に備え、
上記平面部とバックガード部とが交わるコーナー部の厚みは、その周辺の厚みとほぼ等しく設定され、かつコーナー部裏側にカウンター長手方向に延びる凸状湾曲面部が形成され、
カウンター長手方向の寸法を調整するためにカウンター短辺端部から所定距離内側に位置する切断予定部で切断されるＦＲＰ製カウンターであって、
上記切断予定部に対応するコーナー部裏側には、平面部裏面の延長線、バックガード部裏面の延長線及び凸状湾曲面部の三者で囲まれる領域を埋めるように隆起部が一体に突設されていることを特徴とするＦＲＰ製カウンター。
【発明の詳細な説明】
【技術分野】
【０００１】
この発明は、設置場所の室内寸法に合わせて長さを調整できるＦＲＰ製カウンターの改良に関するものである。
【背景技術】
【０００２】
特許文献１には、矩形状の平面部と、該平面部の後方長辺側の端縁から立ち上がるバックガード部とを一体に備えた洗面カウンターが開示されている。この洗面カウンターは、カウンター長手方向の寸法を設置寸法よりも若干長く形成していて、現場で実際の取付寸法に合わせて切断するようにしている。
【０００３】
そして、カウンターを設置する場合、バックガード部裏面に添え木をあてがって室内の壁面に沿わせるとともに、高級感を出すために平面部裏面のカウンター短辺側の端縁にも添え木をあてがって肉厚にすることが一般に行われる。
【０００４】
このようなカウンターでは、通常、平面部とバックガード部とが交わるコーナー部裏側にカウンター長手方向に延びる凸状湾曲面部が形成される。
【０００５】
この場合、上記コーナー部裏側には、平面部裏面の添え木、バックガード部裏面の添え木及び凸状湾曲面部の三者で囲まれた空間ができるため、パテを空間に充填した後、これらが見えないように薄い可撓性樹脂テープを貼着する木口処理を施している。
【特許文献１】特開２００２−１３６４３７号公報（段落００２８欄、段落００３０欄、図３）
【発明の開示】
【発明が解決しようとする課題】
【０００６】
しかし、上述の如き木口処理を施すと、パテが経時変化で収縮してこの影響で可撓性樹脂テープに皺が発生するなどの不具合があるとともに、パテ充填作業が必要で手間が掛かる。
【０００７】
ところで、上記のようなカウンターとして、ガラス繊維等の繊維状強化材を複合した強化プラスチック（ＦＲＰ）製のものがある。このＦＲＰ製カウンターにおいても、上述の如きパテの収縮による不具合がある。
【０００８】
この不具合をなくすために、平面部裏面の添え木、バックガード部裏面の添え木及び凸状湾曲面部の三者で囲まれた空間ができないように、当初からコーナー部裏面に凸状湾曲面部がないカウンターを製作すればよいのだが、このようにすると、特に、ＦＲＰ製カウンターでは、コーナー部の厚みがその周辺の厚みに比べてカウンター長手方向全体に亘って分厚くなり、カウンターを成形後に成形型から脱型する際にコーナー部表側に熱収縮差によりクラックが発生する。
【０００９】
この発明はかかる点に鑑みてなされたものであり、その目的とするところは、ＦＲＰ製カウンターの短辺側の木口処理を良好に行うとともに、コーナー部へのクラック発生をなくすことである。
【課題を解決するための手段】
【００１０】
上記の目的を達成するため、この発明は、ＦＲＰ製カウンターの短辺側の端縁において、コーナー部裏側に添え木との間にパテを充填する空間ができないようにしたことを特徴とする。
【００１１】
具体的には、この発明は、矩形状の平面部と、該平面部の後方長辺側の端縁から立ち上がるバックガード部とを一体に備え、上記平面部とバックガード部とが交わるコーナー部の厚みは、その周辺の厚みとほぼ等しく設定され、かつコーナー部裏側にカウンター長手方向に延びる凸状湾曲面部が形成され、カウンター長手方向の寸法を調整するためにカウンター短辺端部から所定距離内側に位置する切断予定部で切断されるＦＲＰ製カウンターを対象とし、次のような解決手段を講じた。
【００１２】
すなわち、この発明は、上記切断予定部に対応するコーナー部裏側には、平面部裏面の延長線、バックガード部裏面の延長線及び凸状湾曲面部の三者で囲まれる領域を埋めるように隆起部が一体に突設されていることを特徴とする。
【発明の効果】
【００１３】
この発明によれば、カウンターを切断予定部で切断すると、当該箇所のコーナー部裏側の隆起部が平面部及びバックガード部と共に切断され、カウンター設置に際し、平面部裏面にあてがわれた添え木、バックガード部裏面にあてがわれた添え木、及びコーナー部の凸状湾曲面部の三者で囲まれた空間が上記隆起部で隙間なく埋められ、切断された短辺側の端縁（木口）には、上記空間が露呈しない。
【００１４】
したがって、空間に充填したパテの収縮によって木口処理用の可撓性樹脂テープに皺が発生する事態がなくて木口処理を良好に行えるとともに、パテ充填作業が不要でカウンター設置作業が向上する。
【００１５】
また、上記隆起部は、コーナー部のカウンター長手方向全体ではなく、切断予定部にだけ設けられているため、つまり、コーナー部の厚み増大箇所は切断予定部対応箇所の極一部だけであるため、カウンターを成形後に成形型から脱型する際にコーナー部表面には熱収縮差によるクラックが発生しない。
【発明を実施するための最良の形態】
【００１６】
以下、この発明の実施形態について図面に基づいて説明する。
【００１７】
図１はこの発明の実施形態に係るＦＲＰ製カウンターを裏側から見た斜視図であり、本例では浴室等に設置される洗面カウンター１を例示するが、これに限らず、台所に設置されるキッチンカウンター等の他のカウンターにも適用できるものである。
【００１８】
この洗面カウンター１は、図２、図３及び図７にも示すように、カウンター長手方向中央に矩形凹状の洗面ボール部３を有する横長矩形状の平面部５と、該平面部５の後方長辺側の端縁から斜め後方に立ち上がる略逆Ｌ字状のバックガード部７と、上記平面部５の前方長辺側の端縁から略直角に垂れ下がる前垂れ部９とを一体に備えている。
【００１９】
上記洗面カウンター１の厚みは、全体に亘ってほぼ等しく設定されている。したがって、上記平面部５とバックガード部７とが交わるコーナー部１１の厚みＴ１は、その周辺の厚みＴ２とほぼ等しく設定されている（図３参照）。また、上記コーナー部１１裏側には、カウンター長手方向に延びる凸状湾曲面部１１ａが形成されている。
【００２０】
上記洗面カウンター１のカウンター両短辺端部から所定距離内側には、カウンター長手方向の寸法を調整するために切断される切断予定部１３が２箇所ずつ合計４箇所設けられ、設置場所の取付寸法に応じて切断予定部１３を選択して当該箇所から切断するようにしている。
【００２１】
上記切断予定部１３に対応するコーナー部１１裏側には、平面部５裏面の延長線Ｌ１、バックガード部７裏面の延長線Ｌ２及び凸状湾曲面部１１ａの三者で囲まれる領域を埋めるように隆起部１５が一体に突設され、これら隆起部１５により上記凸状湾曲面部１１ａが分断されている。
【００２２】
上記隆起部１５は、図２、図４及び図５に示すように、平面部５裏面の延長線Ｌ１に対応する下面１５ａと、バックガード部７裏面の延長線Ｌ２に対応する後面１５ｂと、上記下面１５ａ及び後面１５ｂを連絡する両側面１５ｃとからなり、該両側面１５ｃは上方に向かって厚みが増大するように略逆ハの字状に傾斜している。これにより、洗面カウンター１を成形した後に成形型から脱型する際、隆起部１５が折損しないようにしている。
【００２３】
このように構成された洗面カウンター１は、所定の切断予定部１３から切断され、図６及び図７に示すように、短寸ブロック状の添え木１７がバックガード部７及び前垂れ部９の各々の裏面に木口端縁に対応するようにあてがわれるとともに、長尺ブロック状の添え木１９が平面部５裏面に木口端縁に対応するようにあてがわれ、さらに、これら木口及び添え木１７，１９に薄い可撓性樹脂テープが貼着されて木口処理が施される。
【００２４】
このように、この実施形態では、切断予定部１３に対応するコーナー部１１裏側に、平面部５裏面の延長線Ｌ１、バックガード部７裏面の延長線Ｌ２及び凸状湾曲面部１１ａの三者で囲まれる領域を埋めるように隆起部１５を一体に突設したので、洗面カウンター１を切断予定部１３で切断することで、当該箇所のコーナー部１１裏側の隆起部１５を平面部５及びバックガード部７と共に切断し、洗面カウンター１設置に際し、平面部５裏面にあてがわれた添え木１９、バックガード部７及び前垂れ部９裏面にあてがわれた添え木１７、及びコーナー部１１の凸状湾曲面部１１ａの三者で囲まれた空間を上記隆起部１５で隙間なく埋め、切断された短辺側の端縁（木口）に上記空間が露呈しないようにすることができる。
【００２５】
したがって、空間に充填したパテの収縮によって木口処理用の可撓性樹脂テープに皺が発生する事態をなくて良好な木口処理を施すことができるとともに、パテ充填作業をなくして簡単に洗面カウンター１を設置することができる。
【００２６】
また、上記隆隆起部１５を、コーナー部１１のカウンター長手方向全体ではなく、切断予定部１３にだけ設け、コーナー部１１の厚み増大箇所を切断予定部１３対応箇所の極一部にだけ設けたので、洗面カウンター１を成形した後に成形型から脱型しても、コーナー部１１表面に熱収縮差によるクラックが発生する事態を回避することができる。
【産業上の利用可能性】
【００２７】
この発明は、設置場所の室内寸法に合わせて長さを調整できるＦＲＰ製カウンターについて有用である。
【図面の簡単な説明】
【００２８】
【図１】洗面カウンターを裏側から見た斜視図である。
【図２】図１のII−II線にて切断した拡大斜視図である。
【図３】図２の上下反転状態におけるＡ矢視図である。
【図４】図３のＢ矢視図である。
【図５】図３のＣ矢視図である。
【図６】バックガード部裏面に木口端末に対応するように添え木をあてがった状態の斜視図である。
【図７】木口処理を施した洗面カウンターの斜視図である。
【符号の説明】
【００２９】
１      洗面カウンター
５      平面部
７      バックガード部
１１    コーナー部
１１ａ  凸状湾曲面部
１３    切断予定部
１５    隆起部
Ｌ１    平面部裏面の延長線
Ｌ２    バックガード部裏面の延長線
Ｔ１  コーナー部の厚み
Ｔ２コーナー部周辺の厚み
【図１】
2010220671.tif 000003
【図２】
2010220671.tif 000004
【図３】
2010220671.tif 000005
【図４】
2010220671.tif 000006
【図５】
2010220671.tif 000007
【図６】
2010220671.tif 000008
【図７】
2010220671.tif 000009